(57)【要約】【課題】磁気シールドを簡素な構造で補強した移設型ＭＲＩ装置を提供する。【解決手段】静磁場を発生する磁石１と、磁石１及び寝台装置４の全体を囲う磁気シールド部材１１とを備え、磁気シールド部材１１の床に磁石１は固定され、磁石１と磁気シールド部材１１の床以外の壁面とに固定される非磁性体の支柱であり、磁石１と磁気シールド部材１１の床以外の壁面との間を支える保持部材１３を備える。【選択図】図１
2008220390.tif 000002
【特許請求の範囲】
【請求項１】
静磁場を発生する磁石、傾斜磁場を発生するコイル、受信コイル、及び被検体載置部を備え、前記磁場発生及び受信信号を制御する制御部を含むＭＲＩ装置であって、
前記被検体を収納可能なスペースを有し、前記磁石、前記傾斜磁場を発生するコイル、前記受信コイル、及び前記被検体載置部を囲う磁気シールド部材を備え、
前記磁石は前記磁気シールド部材の床に固定され、
前記磁気シールド部材と前記磁石との間の間隔を保持するための保持部材
を備えることを特徴とするＭＲＩ装置。
【請求項２】
前記磁石は
複数の超伝導コイルと、
前記超伝導コイル及びヘリウムを収納するヘリウム容器と
を有し、
気化したヘリウムを前記ヘリウム容器から前記磁気シールド部材を通過して外へ排出するヘリウム配管をさらに備え、
前記ヘリウム配管は前記磁石と前記磁気シールド部材の壁面とに固定され、前記ヘリウム配管は前記磁石と前記磁気シールド部材の壁面との間を支える
ことを特徴とする請求項１に記載のＭＲＩ装置。
【請求項３】
前記磁気シールド部材がトレーラの外壁と結合されており、
前記トレーラに載せて使用されることを特徴とする請求項１又は請求項２に記載のＭＲＩ装置。
【発明の詳細な説明】
【技術分野】
【０００１】
本発明は、電磁力の影響によるＲＦシールド又は磁気シールドの歪みを抑える構造を有するＭＲＩ装置に関する。特にトレーラに車載されたＭＲＩ装置に関する。
【背景技術】
【０００２】
ＭＲＩ（Ｍａｇｎｅｔｉｃ  Ｒｅｓｏｎａｎｃｅ  Ｉｍａｇｉｎｇ：磁気共鳴イメージング）装置とは、寝台装置に載置され静磁場中に置かれた被検体に対し、傾斜磁場を印可した状態で、励起用磁場用コイル（送信ＲＦコイル）から励起用磁場（ＲＦ磁場）を印加すると共に、核磁気共鳴信号用コイル（受信ＲＦコイル）で核磁気共鳴信号（ＭＲ信号）を取得し、この取得されたＭＲ信号に基づき、当該被検体に関するＭＲＩ画像（断層像）を再構成する医用画像装置である。
【０００３】
ＭＲＩ装置は強力な磁場を発生しているため、人体及び周辺の装置や機器に影響を与える。そこで、ＭＲＩ装置を通常の医療施設に備えつけるときには、人体などに影響を及ぼす磁場が外部に漏洩しないような管理区域を必要とした。さらに、外部に磁場が漏洩しないとともに、外部の磁場が装置に影響を及ぼさないようにＭＲＩ装置室は大きくする必要があった。
【０００４】
しかし、巨大なＭＲＩ装置室は移動させることができないため、ＭＲＩ装置が導入できないような地域や、ＭＲＩ装置が設置してある医療施設でもＭＲＩ装置の入れ替えのときには、ＭＲＩ装置が使用でないため、ＭＲＩ装置を使用した正確な診断が困難であった。そこで従来、トレーラの壁に磁石の漏洩磁場を抑制するための磁気シールドを設置することで漏洩磁場の管理区域を小さくした移設型のＭＲＩ（例えば、特許文献１参照。）が提案されている。
【０００５】
【特許文献１】特開２００１−９５７７９号公報
【発明の開示】
【発明が解決しようとする課題】
【０００６】
しかし、このような移設型のＭＲＩでは、ＭＲＩ装置が発生する電磁力による力で磁気シールドが引っ張られ、トレーラの壁と磁気シールドが結合している場合や、トレーラの壁に鉄などの素材が使われている場合に、トレーラの壁に歪みなどが生じてしまう。これにより、磁気シールドをトレーラの外壁と結合させている場合にはトレーラの壁自体が歪んでしまう。このような場合に、トレーラの強度不足を補うためトレーラの壁の内部に補強フレームを通したり、トレーラの外壁を頑丈にしたりすることも考えられるが、構造が複雑となりコストがかかる。また、フレームを加えることで、トレーラ自体の重量が重くなってしまう。この問題は、トレーラに内蔵する以外の移設型のＭＲＩ装置における簡易シールドルームにおいても同様に発生する。さらに近年では、Ｓ／Ｎ比をよくするためよりいっそう静止磁場の磁力を大きくする傾向にあり、その漏洩磁場を押さえるため磁気シールドを厚くすることになり、それにより磁気シールド自体の重量が増加してしまっている。このような状況においては、重量をなるべく増やさずに磁気シールドの剛性を向上させる必要がある。
【０００７】
この発明は、このような事情に鑑みてなされたもので、磁気シールドを簡素な構造で補強したＭＲＩ装置を提供することを目的としている。
【課題を解決するための手段】
【０００８】
上記目的を達成するために、請求項１に記載のＭＲＩ装置は、静磁場を発生する磁石、傾斜磁場を発生するコイル、受信コイル、及び被検体載置部を備え、前記磁場発生及び受信信号を制御する制御部を含むＭＲＩ装置であって、前記被検体を収納可能なスペースを有し、前記磁石、前記傾斜磁場を発生するコイル、前記受信コイル、及び前記被検体載置部を囲う磁気シールド部材を備え、前記磁石は前記磁気シールド部材の床に固定され、前記磁気シールド部材と前記磁石との間の間隔を保持するための保持部材
を備えることを特徴とするものである。
【発明の効果】
【０００９】
請求項１に記載のＭＲＩ装置によると、超伝導磁石の電磁力で磁気シールド部材が内側に引っ張られた場合に、超伝導磁石から磁気シールド部材までの長さを有する保持部材により内側から磁気シールド部材を支えることができる。これにより、短い保持部材による簡素な構造で、磁気シールド部材の歪みを軽減させることができる。
【発明を実施するための最良の形態】
【００１０】
〔第１の実施形態〕
（磁石及び磁気シールド部材の連結構造）
以下では、本発明に係る磁石１と磁気シールド部材１１との保持部材１３による連結構造を図１及び図２を参照して説明する。図１は本実施形態に係るＭＲＩ装置の正面からの模式的な正面からの断面図である。図２は本実施形態に係るＭＲＩ装置の側面からの模式的な断面図である。図２は磁気シールド部材１１に収納された磁石１を示している。ここで実際は図２に示すように寝台装置４が手前に設置されているが、図１では省略している。図２は磁気シールド部材１１に収納された寝台装置４と磁石１を示しており、実際の撮影では寝台装置４が磁石１の中を通るものである。
【００１１】
外側の黒い枠は、磁気シールド部材１１である。磁気シールド部材１１は、外部への磁気漏洩及び外部からの磁気の影響を防ぐため珪素鋼板などで構成されている。そして、本実施形態では、シールド１１の外への磁場の漏洩を５Ｇ（ガウス）以下にするため、０．５ｍｍ〜１ｍｍの珪素鋼板を何重かにすることで、およそ１５ｍｍの厚みにした珪素鋼板を使用している。
【００１２】
磁石１は円筒形の形状を有している。磁石１は複数の超伝導コイルからなる超伝導コイル群を有している。そして、磁石１は、超伝導コイル群により、例えば磁石１の中心から５ｍはなれた場所で５Ｇになるような静止磁場を発生させる。ここで、本実施形態では、最も使用される程度の磁場を考え上記のような磁場を使用しているが、これは特に制限はなく、もっと大きな磁場を発生させてもよい。そして、この磁場を小さな管理領域に押さえるために磁気シールド部材１１に磁石１が収納され、その磁気シールド部材１１の外への漏洩磁場が５Ｇ以下に押さえられる。ただし、より大きな磁場を発生させた場合には、外の磁場を５Ｇ以下にするために磁気シールド部材１１の珪素鋼板の厚みをより大きくする必要がある。その場合、大きな磁場を発生することにより磁気シールド部材１１に掛かる電磁力が増大するため、磁気シールド部材１１により高い剛性が必要となる。
【００１３】
磁石１は、超伝導コイル群を冷却し超伝導体にしておくための液体ヘリウムを貯蔵しておくヘリウム容器を有している。ここで、液体ヘリウムが気化することにより超伝導コイル群を冷却することができる。そして、磁石１は、図２に示すように前述の気化させたヘリウムを外部に排出するための配管１４（以下、「クエンチ配管１４」という。）を有しており、クエンチ配管１４は磁石１から出て磁気シールド部材１１を通過し外部に到達しており、その外部に排気口を有している。さらに、磁石１は断熱効果を得るため真空の層を有しており、そのため磁石１は大気圧に耐えるように真空層の外壁が１０ｔ程度の圧力まで耐える強度になっている。
【００１４】
磁石１は、台座１２でシールド１１の床に固定されている。シールド１１は床面のシールドに磁石１から上方（磁石１方向）に引かれても、磁石１自身によって押さえられているため、床面のシールドの上方への歪みは少ない。
【００１５】
保持部材１３は、ステンレスで構成された直径５ｃｍのパイプである。ここで、保持部材１３の材質は、その形状とあいまって必要とされる剛性を有する非磁性体ならば特に限定はなく、例えばアルミなどでもよい。また、本実施形態では軽量化及び強度を上げるため、保持部材１３は内部をくりぬいたパイプ状の構造を採用しているが、これは内部の詰まった棒状の構造でもよく、また保持部材１３の外側の形に特に限定はなく、例えば角型の形状でもよい。さらに、本実施形態では、操作者の移動性と発生する電磁力の大きさを考え、１ｔ程度の力に耐えるように直径５ｃｍとしたが、この大きさも特に限定はなく、必要とされる剛性にあわせてその太さを設定することが好ましい。
【００１６】
保持部材１３は、図１に示すように、その一端を磁石１に固定され、他の一端をシールド１１の壁面に固定されており、磁石１とシールド１１の壁面を連結している。保持部材１３の磁石１及びシールド１１の壁面との連結部分は、ボルトなどでねじ止めされている。
【００１７】
保持部材１３は、図１に示すように磁石１と磁気シールド部材１１の左右の側面及び天井を連結するよう設置されている。ここで、磁石１が発生する電磁力により磁気シールド部材１１が磁石１側に引かれた場合、それぞれの壁面の中央の部分における歪みが最も大きくなる。そこで、保持部材１３は、壁面のなるべく中央に近い場所に配置されることが好ましい。ただし、本実施形態では、狭い磁気シールド部材１１の内部における操作者の動作の邪魔にならないように、保持部材１３を中央からずらして配置してある。そして、磁石１の外壁は前述のように１０ｔ程度まで耐えるように構成されているので、電磁力により磁気シールド部材１１に磁石１側に引く力が発生し、保持部材１３により１ｔ程度の力が磁石１に加わっても十分に耐えることができる構成である。ただし、磁石１において、より十分な強度を得るため、図１のように磁石１の円筒形の端部の円周付近に保持部材１３を設置することが好ましい。
【００１８】
さらに、本実施形態では、左右の側面にそれぞれ１つずつの保持部材１３を設けているが、これは、強度を上げるためにそれぞれの側面に複数の保持部材１３を配置する構成にしてもよい。また、本実施形態では天井との連結を剛性を向上させるために中央に近い場所に保持部材１３を２つ配置しているが、これは中央に保持部材１３を一つ配置する構成でもよいし、さらに剛性を上げるためにより多くの保持部材１３を配置してもよい。これら保持部材１３の配置構成は、必要とされる剛性に応じて選択されることが好ましい。例えば、必要とされる合成は、磁石１が発生する磁力の大きさや、磁気シールド部材１１の厚さなどにより変化するため、それらの条件に合わせて保持部材１３を選択する必要がある。また、本実施形態では保持部材１３をパイプ状のものとしているが、さらに剛性を向上させたい場合には、保持部材１３を磁石１と磁気シールド部材１１の壁とを連結する壁面として構成してもよい。
【００１９】
また、本実施形態では、保持部材１３を直接磁石１に固定しているが、これは磁石１を構成している部材で強固なものならば他の部分でもよく、例えば、保持部材１３を固定しやすいように磁石１の側面に板状の部材を結合させ、その板状の部材に保持部材１３を固定する方法でもよい。
【００２０】
さらに、図２に示すように、磁石１から見て寝台装置４と反対側にある磁気シールド部材１１の壁面と磁石１とを連結するように保持部材１３が設置されている。この場合も、シールド１１の壁面の歪みは中央部分が最も大きいため、なるべく中央付近に保持部材１３を配置することが好ましい。またこの場合も、磁石１において、より十分な強度を得るため、磁石１の円筒形の端部の円周付近に保持部材１３を設置することが好ましい。さらに、本実施形態では磁石１の左右に保持部材１３を配置しているが、保持部材１３の本数や保持部材１３の大きさは、必要とされる剛性にあわせて構成することが好ましい。
【００２１】
クエンチ配管１４は、図２に示すように磁石１と磁気シールド部材１１に連結されている。このクエンチ配管１４の連結はボルトによるねじ止めなどで固定されている。また、本実施形態において、クエンチ配管１４はステンレスで構成されているが、材質は磁気シールド部材１１から受ける力に耐える非磁性体であればよい。このように、クエンチ配管１４を磁石１による磁気シールド部材１１の歪みを押さえるために使用することで、余分な部材を増やすことなく剛性を向上させることができる。
【００２２】
本実施形態では、より剛性を高めるためクエンチ配管１４を用いて磁気シールド部材１１の支持をしているが、保持部材１３だけで十分な剛性を得られる構造にすることも可能であり、その場合にはクエンチ配管１４を磁気シールド部材１１の支持に使用する必要はない。
【００２３】
（ＭＲＩ装置全体の動作）
以上で説明した保持部材１３による磁石１と磁気シールド部材１１の連結構造を有するＭＲＩ装置について説明する。図３は本実施形態に係るＭＲＩ装置の機能を表すブロック図である。同図に示すＭＲＩ装置は、天板に固定された被検体の内部形態又は機能を反映するデータを検出し、この検出されたデータに基づいて断層画像の画像データを形成する装置である。
【００２４】
磁石１は、中空の円筒形状に形成されており、その内部空間に一様な静磁場を発生するように作用する（以下では、「静磁場磁石１」ということがある。）。この静磁場磁石１としては、例えば超伝導磁石などが使用される。
【００２５】
傾斜磁場コイル２は、中空の円筒形状をなしており、静磁場磁石１が形成する内部空間に配置されている。この傾斜磁場コイル２は、予め設定された３次元直交座標系（ＸＹＺ座標系）の各座標軸に対応する３つのコイルが組み合わされて形成されている。これら３つのコイルは、電源供給部３から個別に電源供給を受けて、Ｘ、Ｙ、Ｚの各座標軸に沿って磁場強度が傾斜する傾斜磁場を発生する。
【００２６】
なお、Ｚ座標軸は被検体Ｐの体軸方向（後述の天板４１の長手方向）に沿って配置され、静磁場磁石１は、このＺ方向の静磁場を発生する。Ｘ、Ｙ、Ｚの各方向の傾斜磁場は、例えば、スライス選択用傾斜磁場、位相エンコード用傾斜磁場、及びリードアウト用傾斜磁場の方向にそれぞれ対応される。
【００２７】
ここで、スライス選択用傾斜磁場は、任意に撮影断面を決めるために利用される。位相エンコード用傾斜磁場は、空間的位置に応じて磁気共鳴信号の位相をエンコードするために利用される。リードアウト用傾斜磁場は、空間的位置に応じて磁気共鳴信号の位相をエンコードするために利用される。
【００２８】
被検体Ｐは、寝台装置４の天板４１に載置された状態で傾斜磁場コイル２の内部空間（撮影口）に挿入される。天板４１は、寝台制御部５により駆動されて、その長手方向及び上下方向にそれぞれ移動される。通常、この天板４１の長手方向が静磁場磁石１の中心軸に対して平行になるように寝台装置４が設置される。なお、この寝台装置４の構成の詳細については後述する。
【００２９】
送信ＲＦ（Ｒａｄｉｏ  Ｆｒｅｑｕｅｎｃｙ）コイル６は、傾斜磁場コイル２の内部空間に配置される。送信ＲＦコイル６は、送信部７から高周波パルスの供給を受けて、高周波磁場を発生する。
【００３０】
送信部７は、送信ＲＦコイル６に高周波パルスを送信するもので、発信部、位相選択部、周波数変換部、振幅変調部、高周波電力増幅部（いずれも不図示）などを含んで構成される。
【００３１】
発振部は、静磁場中における対象原子核に固有の共鳴周波数の高周波信号を発生する。位相選択部は、この高周波信号の位相を選択する処理を行う。周波数変換部は、位相選択部から出力された高周波信号の周波数を変換する処理を行う。振幅変調部は、周波数偏重部から出力された高周波信号の振幅を例えばシンク関数（ｓｉｎｃ（ｘ）＝ｓｉｎ（ｘ）／ｘ）等の関数にしたがって変調する処理を行う。高周波電力増幅部は、振幅変調部から出力された高周波信号を増幅する処理を行う。送信部７は、高周波電力増幅部により得られるラーモア（Ｌａｒｍｏｒ）周波数に対応する高周波パルスを送信ＲＦコイル６に送信する。
【００３２】
受信ＲＦコイルユニット８は、傾斜磁場コイル２の内部空間に配置され、複数のＲＦコイルを含んで構成される。この複数のＲＦコイルは、発生された高周波磁場の影響により被検体Ｐから放出される磁気共鳴信号をそれぞれ受信し、その受信結果を表す信号を受信部９に出力する。
【００３３】
受信部９は、受信ＲＦコイルユニット８から出力される信号に基づいて、複数の受信チャンネルのそれぞれに関する磁気共鳴信号データを生成する。
【００３４】
演算制御部１０は、インタフェース部１０１、データ収集部１０２、再構成部１０３、記憶部１０４、表示部１０５、入力部１０６、及び制御部１０７を有している。
【００３５】
インタフェース部１０１には、電源供給部３、寝台制御部５、送信部７、受信部９などが接続されている。インタフェース部１０１は、これら各部と演算制御部１０との間における信号の送受信処理を行う。
【００３６】
データ収集部１０２は、受信部９から出力される磁気共鳴信号データをインタフェース部１０１を介して収集する。データ収集部１０２は、収集した磁気共鳴信号データ（デジタル信号）を記憶部１０４に送って記憶させる。
【００３７】
再構成部１０３は、記憶部１０４に記憶された磁気共鳴信号データに対してフーリエ変換などの画像再構成処理を実行して、被検体Ｐの体内における所望の核スピンのスペクトラムデータや画像データを求める。それにより、被検体Ｐの断層画像の画像データが生成される。
【００３８】
記憶部１０４は、磁気共鳴信号データ、スペクトラムデータ、画像データなどの各種データを記憶する。これらのデータは、例えば各患者毎に記憶されるようになっている。
【００３９】
表示部１０５は、スペクトラムデータや画像データなどの各種データに基づいて、各種の画像や画面を表示する。この表示処理の制御は、制御部１０７によって実行される。この表示部１０５としては、例えばＬＣＤ（Ｌｉｑｕｉｄ  Ｃｒｙｓｔａｌ  Ｄｉｓｐｌａｙ）などの任意の表示デバイスを使用することができる。
【００４０】
入力部１０６は、検者からの各種指定や情報入力を受け付ける。この入力部１０６としては、キーボード、マウス、トラックボール、ジョイスティック、コントロールパネル、又はペンタブレットなどの任意の入力デバイスや操作デバイスを適宜に用いることが可能である。
【００４１】
制御部１０７は、図示しないマイクロプロセッサや記憶装置などを含んで構成され、このＭＲＩ装置の各部を個別に或いは連動させて制御する。
【００４２】
以上で説明した本実施形態に係るＭＲＩ装置は、トレーラに載せて自由に移動できる構成にすることも可能である。その場合、磁気シールド部材１１とトレーラの外壁が結合され一体となっており、保持部材１３は磁気シールド部材１１を支えることで、磁気シールド部材１１と一体となっているトレーラの外壁の剛性を向上させる構造になっている。
【００４３】
（効果）
以上のように、本実施形態に係るＭＲＩ装置では保持部材１３を磁石１と磁気シールド部材１１に固定し、連結させている。これにより、磁気シールド部材１１が磁石１側に引っ張られる力を保持部材１３が抑えるため、磁石１の電磁力による磁気シールド部材１１の歪みを軽減することができる。
【００４４】
また、保持部材１３は磁石１から磁気シールド部材１１の壁までの長さしか有していないため、軽量化が測れるとともに、簡素な構造で磁気シールド部材１１の補強をすることができ、製造コストも抑えることができる。さらに、保持部材１３を操作者の操作の邪魔にならないように配置することも可能であり、ＭＲＩ装置が設置された狭いスペースを有効に利用することができる。
【００４５】
さらに、本実施形態に係るＭＲＩ装置をトレーラに載置した場合には、外壁と結合している磁気シールド部材１１が磁石１側に引かれることでトレーラの外壁も磁石１側に引かれる。このとき、保持部材１３が、磁気シールド部材１１を支えることにより、トレーラの外壁の歪みも軽減される。また、本実施形態に係るＭＲＩ装置は簡素な構造で構成されており重量が軽いため、トレーラの移動に掛かる負荷も軽減することができる。
【００４６】
〔第２の実施形態〕
以下、第２の実施形態に係るＭＲＩ装置を説明する。本実施形態に係るＭＲＩ装置は、第１の実施形態において、保持部材１３を磁気シールド部材１１の側壁と天井又は側壁と床のコーナーに伸ばした構造である。以下では、保持部材１３及びその連結について説明する。
【００４７】
図４は本実施形態に係るＭＲＩ装置の正面からの模式的な断面図である。図５は本実施形態に係るＭＲＩ装置の側面からの模式的な断面図である。
【００４８】
補強部材１５は、図４及び図５に示すように、磁気シールド部材１１の側面と天井の両方のコーナーにそのコーナーと同じ長さで設けられている。この補強部材１５はステンレスで構成されている。ただし、補強部材１５は剛性の強い非磁性体であればよく、例えばアルミなどでもよい。
【００４９】
補強部材１６は、図４及び図５に示すように、磁気シールド部材１１の側面と床面の両方のコーナーにそのコーナーと同じ長さで設けられている。この補強部材１６はステンレスで構成されている。ただし、補強部材１６は剛性の強い非磁性体であればよく、例えばアルミなどでもよい。
【００５０】
保持部材１３は、ステンレスで構成された直径５ｃｍのパイプである。ここで、保持部材１３の材質は非磁性体ならば特に限定はなく、例えばアルミなどでもよい。また、本実施形態では軽量化のため、保持部材１３は内部をくりぬいたパイプ状の構造を採用しているが、これは内部の詰まった棒状の構造でもよく、また保持部材１３の外側の形に特に限定はなく、例えば角型の形状でもよい。
【００５１】
保持部材１３は、図４に示すように、その一端を磁石１に固定され、他の一端を補強部材１５に固定されており、磁石１と補強部材１５を連結している。保持部材１３の磁石１及び補強部材１５との連結部分は、ボルトなどでねじ止めされている。
【００５２】
また、保持部材１３は、図４に示すように、その一端を台座１２に固定され、他の一端を補強部材１６に固定されており、台座１２と補強部材１６を連結している。保持部材１３の台座１２及び補強部材１６との連結部分は、ボルトなどでねじ止めされている。
【００５３】
保持部材１３は、図４に示すように磁石１と左右の補強部材１５、及び台座１２と左右の補強部材１６を連結するよう設置されている。
【００５４】
ここで、磁気シールド部材１１の側壁は、保持部材１３によりそのコーナーが補強部材１５が斜め上方向（側壁と天井とのコーナーに向かい磁石から離れる方向）に押されているため、天井側のコーナーで上方向の力を受け、下のコーナーが上に引かれないよう補強部材１６で抑えられているため、結果として上に引張られる構造になっている。また磁気シールド部材１１の天井は、保持部材１３によりそのコーナーが補強部材１５が斜め上方向に押されているため、天井の両端のコーナーで外向きの力を受け、結果として、左右に引張られる構造になっている。これにより、磁気シールド部材１１が磁石１の電磁力を受けて起こる磁石１方向への歪みを軽減できる。
【００５５】
本実施形態に係るＭＲＩ装置は、トレーラに載せて自由に移動する構成にすることも可能である。
【００５６】
以上のように、本実施形態では磁気シールド部材１１が磁石１方向に引かれる力を、図５に示すように各コーナー全体で支持するため、より大きな剛性を得ることができる。
【００５７】
また、保持部材１３を天井と側壁のコーナーに向けて斜め上に伸ばして配置ことができ、さらに、台座１２と側壁とを結ぶ床面に接して配置できるため、より操作者の操作性を向上することが可能となる。
【図面の簡単な説明】
【００５８】
【図１】第１の実施形態に係るＭＲＩ装置の正面からの模式的な断面図
【図２】第１の実施形態に係るＭＲＩ装置の側面からの模式的な断面図
【図３】本発明に係るＭＲＩ装置の全体構成を表わすブロック図
【図４】第２の実施形態に係るＭＲＩ装置の正面からの模式的な断面図
【図５】第２の実施形態に係るＭＲＩ装置の側面からの模式的な断面図
【符号の説明】
【００５９】
１  磁石
２  傾斜磁場コイル
３  電源供給部
４  寝台装置
５  寝台制御部
６  送信ＲＦコイル
７  送信部
８  受信ＲＦコイルユニット
９  受信部
１０  演算制御部
１０１  インタフェース部
１０２  データ収集部
１０３  再構成部
１０４  記憶部
１０５  表示部
１０６  入力部
１０７  制御部
１１  磁気シールド部材
１２  台座
１３  保持部材
１４  クエンチ配管
１５  補強部材
１６  補強部材
Ｐ  被検体
【図１】
2008220390.tif 000003
【図２】
2008220390.tif 000004
【図３】
2008220390.tif 000005
【図４】
2008220390.tif 000006
【図５】
2008220390.tif 000007